(57)【要約】      （修正有）【課題】簡易に設置することができるコップ支持装置を提供するものである。【解決手段】コップ支持装置１は、載置側がのの字に形成されるのの字部３１と、こののの字部３１に接続され、載置面４に対して垂直方向に延びる垂直部３２と、この垂直部３２に接続され、垂直部３２より側方に張り出す張り出し部３３とを備えた支持部材３と、この支持部材３ののの字部３１に取り付けられ、載置面４に吸着する吸盤５と、支持部材３の張り出し部に取り付けられた磁石Ｍと、この磁石Ｍに付着するように、底部に磁性体を内在又は底部に磁性体を貼着又は底部を磁性体で形成したコップ２と、このコップ２の開口部が吸盤５を臨むように磁石Ｍでコップ２の底部を付着してコップ２を支持部材３で支持するものである。【選択図】図１
2008136578.tif 000002
【特許請求の範囲】
【請求項１】
載置側がのの字に形成されるのの字部と、こののの字部に接続され、載置面に対して垂直方向に延びる垂直部と、この垂直部に接続され、前記垂直部より側方に張り出す張り出し部とを備えた支持部材と、
この支持部材ののの字部に取り付けられ、前記載置面に吸着する吸盤と、
前記支持部材の張り出し部に取り付けられた磁石と、
この磁石に付着するように、底部に磁性体を内在又は底部に磁性体を貼着又は底部を磁性体で形成したコップと、
このコップの開口部が前記吸盤を臨むように前記磁石で前記コップの底部を付着して前記コップを前記支持部材で支持するようにすることを特徴とするコップ支持装置。
【請求項２】
のの字部は、直線部と、この直線部に接続され、円弧状をなす円弧状部とを有し、
前記直線部は、前記円弧状部より張り出し部の側に近い側に位置し、前記直線部と前記円弧状部とは段差を有し、
吸盤は、わん型の吸着部と、この吸着部の背面の中央に位置すると共に、貫通する貫通穴を有する連結部とを有し、
この連結部と磁石とコップの磁性体が平面視、重なる位置にあり、
前記連結部の貫通穴に前記直線部が挿し通され、支持部材に前記吸盤が取り付けられている
ことを特徴とする請求項１記載のコップ支持装置。
【請求項３】
載置側がのの字に形成されるのの字部と、こののの字部に接続され、載置面に対して垂直方向に延びる垂直部と、この垂直部に接続され、前記垂直部より側方に張り出す張り出し部とを備えた支持部材と、
この支持部材ののの字部に取り付けられ、前記載置面に吸着する吸盤と、
前記支持部材の張り出し部に取り付けられた磁石と、
この磁石に付着するように、磁性体が埋め込まれた石鹸と、
前記磁石で前記磁性体を介して前記石鹸を付着して前記石鹸を前記支持部材で支持するようにすることを特徴とする石鹸支持装置。
【請求項４】
のの字部は、直線部と、この直線部に接続され、円弧状をなす円弧状部とを有し、
前記直線部は、前記円弧状部より張り出し部の側に近い側に位置し、前記直線部と前記円弧状部とは段差を有し、
吸盤は、わん型の吸着部と、この吸着部の背面の中央に位置すると共に、貫通する貫通穴を有する連結部とを有し、
この連結部と磁石と石鹸に埋め込まれた磁性体が平面視、重なる位置にあり、
前記連結部の貫通穴に前記直線部が挿し通され、支持部材に前記吸盤が取り付けられている
ことを特徴とする請求項３記載の石鹸支持装置。
【請求項５】
載置側がのの字に形成されるのの字部と、こののの字部に接続され、載置面に対して垂直方向に延びる垂直部と、この垂直部に接続され、前記垂直部より側方に張り出す張り出し部とを備えた支持部材と、
この支持部材ののの字部に取り付けられ、前記載置面に吸着する吸盤と、
前記支持部材の張り出し部に取り付けられ、磁性体を有する被吊下物を付着する磁石とを備えていることを特徴とする支持装置。
【請求項６】
載置側がのの字に形成されるのの字部と、こののの字部に接続され、載置面に対して垂直方向に延びる垂直部と、この垂直部に接続され、前記垂直部より側方に張り出す張り出し部とを備えた支持部材と、
この支持部材ののの字部に取り付けられ、前記載置面に吸着する吸盤と、
前記支持部材の張り出し部に取り付けられ、磁石を有した被吊下物を付着する磁性体とを備えていることを特徴とする支持装置。
【請求項７】
載置面に吸着する吸盤と、
この吸盤を取り付ける取付部と、この取付部に接続され、載置面に対して垂直方向に延びる垂直部と、この垂直部に接続され、前記垂直部より側方に張り出す張り出し部とを備えた支持部材と、
この張り出し部に取り付けられ、磁性体を有する被吊下物を付着する磁石とを備えていることを特徴とする支持装置。
【請求項８】
載置面に吸着する吸盤と、
この吸盤を取り付ける取付部と、この取付部に接続され、載置面に対して垂直方向に延びる垂直部と、この垂直部に接続され、前記垂直部より側方に張り出す張り出し部とを備えた支持部材と、
この張り出し部に取り付けられ、磁石を有した被吊下物を付着する磁性体とを備えていることを特徴とする支持装置。
【発明の詳細な説明】
【技術分野】
【０００１】
本発明は、コップ支持装置、石鹸支持装置及び支持装置に係り、特に、設置する部位に加工を施すことなく、簡易に設置することができるコップ支持装置、石鹸支持装置及び支持装置に関する。
【背景技術】
【０００２】
コップの底面に磁石を、洗面台の棚の裏に鉄板を、それぞれ設け、コップを逆さの状態に保持してコップの水切りと乾燥を行うことができるコップの逆さ保持装置がある（例えば、特許文献１参照）。
しかしながら、上述したコップの逆さ保持装置にあっては、設置する部位として、洗面台の棚が必要で、しかも、洗面台の棚の裏に鉄板を取り付ける必要があり、使用勝手が良好でないという問題点があり、改善の余地があった。
【特許文献１】実用新案登録第３１２６９１３号公報
【発明の開示】
【発明が解決しようとする課題】
【０００３】
本発明は、上記の問題点を除去するようにしたコップ支持装置、石鹸支持装置及び支持装置を提供することを目的とする。
【課題を解決するための手段】
【０００４】
上記目的を達成するために、本発明のコップ支持装置は、載置側がのの字に形成されるのの字部と、こののの字部に接続され、載置面に対して垂直方向に延びる垂直部と、この垂直部に接続され、前記垂直部より側方に張り出す張り出し部とを備えた支持部材と、この支持部材ののの字部に取り付けられ、前記載置面に吸着する吸盤と、前記支持部材の張り出し部に取り付けられた磁石と、この磁石に付着するように、底部に磁性体を内在又は底部に磁性体を貼着又は底部を磁性体で形成したコップと、このコップの開口部が前記吸盤を臨むように前記磁石で前記コップの底部を付着して前記コップを前記支持部材で支持するものである。
【０００５】
また、請求項２記載のコップ支持装置は、請求項１記載のコップ支持装置において、のの字部は、直線部と、この直線部に接続され、円弧状をなす円弧状部とを有し、前記直線部は、前記円弧状部より張り出し部の側に近い側に位置し、前記直線部と前記円弧状部とは段差を有し、吸盤は,わん型の吸着部と、この吸着部の背面の中央に位置すると共に、貫通する貫通穴を有する連結部とを有し、この連結部と磁石とコップの磁性体が平面視、重なる位置にあり、前記連結部の貫通穴に前記直線部が挿し通され、支持部材に前記吸盤が取り付けられているものである。
【０００６】
また、請求項３記載の石鹸支持装置は、載置側がのの字に形成されるのの字部と、こののの字部に接続され、載置面に対して垂直方向に延びる垂直部と、この垂直部に接続され、前記垂直部より側方に張り出す張り出し部とを備えた支持部材と、この支持部材ののの字部に取り付けられ、前記載置面に吸着する吸盤と、前記支持部材の張り出し部に取り付けられた磁石と、この磁石に付着するように、磁性体が埋め込まれた石鹸と、前記磁石で前記磁性体を介して前記石鹸を付着して前記石鹸を前記支持部材で支持するものである。
【０００７】
また、請求項４記載の石鹸支持装置は、請求項３記載の石鹸支持装置において、のの字部は、直線部と、この直線部に接続され、円弧状をなす円弧状部とを有し、前記直線部は、前記円弧状部より張り出し部の側に近い側に位置し、前記直線部と前記円弧状部とは段差を有し、吸盤は,わん型の吸着部と、この吸着部の背面の中央に位置すると共に、貫通する貫通穴を有する連結部とを有し、この連結部と磁石と石鹸に埋め込まれた磁性体が平面視、重なる位置にあり、前記連結部の貫通穴に前記直線部が挿し通され、支持部材に前記吸盤が取り付けられているものである。
【０００８】
また、請求項５記載の支持装置は、載置側がのの字に形成されるのの字部と、こののの字部に接続され、載置面に対して垂直方向に延びる垂直部と、この垂直部に接続され、前記垂直部より側方に張り出す張り出し部とを備えた支持部材と、この支持部材ののの字部に取り付けられ、前記載置面に吸着する吸盤と、前記支持部材の張り出し部に取り付けられ、磁性体を有する被吊下物を付着する磁石とを備えているものである。
【０００９】
また、請求項６記載の支持装置は、載置側がのの字に形成されるのの字部と、こののの字部に接続され、載置面に対して垂直方向に延びる垂直部と、この垂直部に接続され、前記垂直部より側方に張り出す張り出し部とを備えた支持部材と、この支持部材ののの字部に取り付けられ、前記載置面に吸着する吸盤と、前記支持部材の張り出し部に取り付けられ、磁石を有した被吊下物を付着する磁性体とを備えているものである。
【００１０】
また、請求項７記載の支持装置は、載置面に吸着する吸盤と、この吸盤を取り付ける取付部と、この取付部に接続され、載置面に対して垂直方向に延びる垂直部と、この垂直部に接続され、前記垂直部より側方に張り出す張り出し部とを備えた支持部材と、この張り出し部に取り付けられ、磁性体を有する被吊下物を付着する磁石とを備えているものである。
【００１１】
また、請求項８記載の支持装置は、載置面に吸着する吸盤と、この吸盤を取り付ける取付部と、この取付部に接続され、載置面に対して垂直方向に延びる垂直部と、この垂直部に接続され、前記垂直部より側方に張り出す張り出し部とを備えた支持部材と、この張り出し部に取り付けられ、磁石を有した被吊下物を付着する磁性体とを備えているものである。
【発明の効果】
【００１２】
請求項１記載のコップ支持装置によれば、載置側がのの字に形成されるのの字部と、こののの字部に接続され、載置面に対して垂直方向に延びる垂直部と、この垂直部に接続され、前記垂直部より側方に張り出す張り出し部とを備えた支持部材と、この支持部材ののの字部に取り付けられ、前記載置面に吸着する吸盤と、前記支持部材の張り出し部に取り付けられた磁石と、この磁石に付着するように、底部に磁性体を内在又は底部に磁性体を貼着又は底部を磁性体で形成したコップとを備え、このコップの開口部が前記吸盤を臨むように前記磁石で前記コップの底部を付着して前記コップを前記支持部材で支持するようにするため、従来のように設置する部位に加工を施すことなく、吸盤が吸着する載置面があれば、簡易な手段で、載置面に吸盤を介して、安定的にコップ支持装置を支持して、コップを逆さ状態で水切りと乾燥を良好に行うことができる。  
【００１３】
また、請求項２記載のコップ支持装置によれば、前述の請求項１記載の発明の効果に加え、吸盤の連結部と支持部材の張り出し部に取り付けられた磁石とコップの磁性体とが平面視、重なる位置にあるため、簡易な手段で、載置面に吸盤を介して、より安定的にコップ支持装置を支持することができる。
【００１４】
また、請求項３記載の石鹸支持装置によれば、載置側がのの字に形成されるのの字部と、こののの字部に接続され、載置面に対して垂直方向に延びる垂直部と、この垂直部に接続され、前記垂直部より側方に張り出す張り出し部とを備えた支持部材と、この支持部材ののの字部に取り付けられ、前記載置面に吸着する吸盤と、前記支持部材の張り出し部に取り付けられた磁石と、この磁石に付着するように、磁性体が埋め込まれた石鹸とを備え、前記磁石で前記磁性体を介して前記石鹸を付着して前記石鹸を前記支持部材で支持するようにするため、従来のように設置する部位に加工を施すことなく、吸盤が吸着する載置面があれば、簡易な手段で、載置面に吸盤を介して、安定的に石鹸支持装置を支持して、石鹸を空気中に位置させて水切りと乾燥を良好に行うことができる。
【００１５】
また、請求項４記載の石鹸支持装置によれば、前述の請求項３記載の発明の効果に加え、吸盤の連結部と支持部材の張り出し部に取り付けられた磁石と石鹸に埋め込まれた磁性体とが平面視、重なる位置にあるため、簡易な手段で、載置面に吸盤を介して、より安定的に石鹸支持装置を支持することができる。
【００１６】
また、請求項５記載の支持装置によれば、載置面に吸着する吸盤と、この吸盤を取り付ける取付部と、この取付部に接続され、載置面に対して垂直方向に延びる垂直部と、この垂直部に接続され、前記垂直部より側方に張り出す張り出し部とを備えた支持部材と、この張り出し部に取り付けられ、被吊下物を付着する磁石とを備えているため、従来のように設置する部位に加工を施すことなく、吸盤が吸着する載置面があれば、簡易な手段で、載置面に吸盤を介して、安定的に支持部材を支持して、磁性体を有する被吊下物を吊り下げることができる。  
【００１７】
また、請求項６記載の支持装置によれば、載置側がのの字に形成されるのの字部と、こののの字部に接続され、載置面に対して垂直方向に延びる垂直部と、この垂直部に接続され、前記垂直部より側方に張り出す張り出し部とを備えた支持部材と、この支持部材ののの字部に取り付けられ、前記載置面に吸着する吸盤と、前記支持部材の張り出し部に取り付けられ、磁石を有した被吊下物を付着する磁性体とを備えているため、従来のように設置する部位に加工を施すことなく、吸盤が吸着する載置面があれば、簡易な手段で、載置面に吸盤を介して、安定的に支持部材を支持して、磁石を有した被吊下物を吊り下げることができる。  
【００１８】
また、請求項７記載の支持装置によれば、載置面に吸着する吸盤と、この吸盤を取り付ける取付部と、この取付部に接続され、載置面に対して垂直方向に延びる垂直部と、この垂直部に接続され、前記垂直部より側方に張り出す張り出し部とを備えた支持部材と、この張り出し部に取り付けられ、被吊下物を付着する磁石とを備えているため、従来のように設置する部位に加工を施すことなく、吸盤が吸着する載置面があれば、簡易な手段で、載置面に吸盤を介して、安定的に支持部材を支持して、磁性体を有する被吊下物を吊り下げることができる。
【００１９】
また、請求項８記載の支持装置によれば、載置面に吸着する吸盤と、この吸盤を取り付ける取付部と、この取付部に接続され、載置面に対して垂直方向に延びる垂直部と、この垂直部に接続され、前記垂直部より側方に張り出す張り出し部とを備えた支持部材と、この張り出し部に取り付けられ、磁石を有した被吊下物を付着する磁性体とを備えているため、従来のように設置する部位に加工を施すことなく、吸盤が吸着する載置面があれば、簡易な手段で、載置面に吸盤を介して、安定的に支持部材を支持して、被吊下物を吊り下げることができる。
【実施例】
【００２０】
本発明の一実施例のコップ支持装置、石鹸支持装置及び支持装置を図面を参照して説明する。
図１〜図６に示す１はコップ支持装置で、コップ支持装置１は、コップ２を逆さの状態に保持してコップ２の水切りと乾燥を行うことができるようにしたものである。
コップ支持装置１は、コップ支持装置１の支持の対象であるコップ２と、このコップ２を支持する支持部材３と、この支持部材３を載置面４に吸着する吸盤５とから、概略的に構成されている。
【００２１】
支持部材３は、載置側がのの字に形成されるのの字部３１と、こののの字部３１に接続され、載置面４に対して垂直方向に延びる垂直部３２と、この垂直部３２に接続され、垂直部３２より側方に張り出す張り出し部３３（張り出し部３３は、望ましくは、図示のようにＵターンするＵターン部形状が良い。）とを備え、例えば、棒状部材（断面は、例えば、円）を曲げ加工、又は、樹脂等の一体成形等により成形することができる。
吸盤５は、支持部材３ののの字部３１に取り付けられるようになっている。のの字部３１は、直線部３１ａと、この直線部３１ａに接続され、円弧状をなす円弧状部３１ｂとを有し、円弧状前記直線部３１ｂと円弧状部３１ａとは段差Ｈを有している（図５参照）。
【００２２】
なお、吸盤５は、図４に示すように、周知の部材で、気密性を保持するわん型の弾性部材からなる吸着部５１と、この吸着部５１の背面の中央に位置すると共に、貫通する貫通穴５２ａを有する連結部５２とを有している。
【００２３】
また、支持部材３の張り出し部３３の開放端部には、磁石Ｍが取り付けられ、この磁石Ｍに対応するように、つまり、磁石Ｍに付着するように、コップ２の底部２１に磁性体６が内在するようになっている。内在は、例えば、磁性体（例えば、鉄板、ステンレス板等）６は、図３に示すように、コップ２の底部側壁に形成されたアンダーカット面に嵌め込まれ、磁性体６を底部２１により蓋をして外から見えないようにしている。
また、磁性体６をコップ２の底部２１に内在させたが、本発明はこれに限らず、図示しないが、コップ２の底面２１を、磁性体（例えば、鉄板、ステンレス板等）で形成しても良いし、また、コップ２の底面２１に限らず、勿論、コップ２の全体を鉄板、ステンレス板等の磁性体で形成するようにしても良いし、また、底部２１に磁性体（例えば、鉄板、ステンレス板等）を両面テープ等により貼着するようにしても良い。
なお、磁石Ｍをコップ２の底部２１の側に設けなかったのは、磁石Ｍを有したコップ２を磁気の作用を嫌う、例えば、電子部品（図示せず）等の近くに置く場合を考慮したものである。
【００２４】
従って、上述のコップ支持装置１によれば、従来のように設置する部位に加工を施すことなく、吸盤５が吸着する載置面４があれば、簡易な手段で、載置面４に吸盤５を介して、安定的にコップ支持装置１を支持して、コップ２を逆さ状態で水切りと乾燥を良好に行うことができる。
なお、特に、図５及び図６に示すように、吸盤５の連結部５２と支持部材３の張り出し部３３の開放端部に取り付けられた磁石Ｍとコップ２の磁性体６とが平面視、重なる位置に設定しているため、簡易な手段で、載置面４に吸盤５を介して、より安定的にコップ支持装置１を支持することができる。
【００２５】
次に示す実施例は、磁石Ｍに付着（吸着）する対象が上述のコップ２ではなく石鹸２’である点以外は、上述の実施例と同様であるので、上述の実施例と同一部分に同一符号を付してその説明を省略する（図７〜図１１参照）。
即ち、図７〜図１１に示す１’は石鹸支持装置で、石鹸支持装置１’は、石鹸２’を空気中に位置させて水切りと乾燥を良好に行うことができるようにしたものである。
石鹸支持装置１’は、石鹸支持装置１’の支持の対象である石鹸２’と、石鹸２’を支持する支持部材３と、支持部材３を載置面４に吸着する吸盤５とから、概略的に構成されている。
【００２６】
石鹸２’には、磁石Ｍに付着するように、磁性体６（例えば、鉄板、ステンレス板等）が埋め込まれている。
従って、上述のコップ支持装置１と同様に、従来のように設置する部位に加工を施すことなく、吸盤５が吸着する載置面４があれば、簡易な手段で、載置面４に吸盤５を介して、安定的に石鹸支持装置１’を支持して、石鹸２’を空気中に位置させて水切りと乾燥を良好に行うことができる。
なお、特に、図１０及び図１１に示すように、吸盤５の連結部５２と支持部材３の張り出し部３３の開放端部に取り付けられた磁石Ｍと石鹸２’の磁性体６とが平面視、重なる位置に設定しているため、簡易な手段で、載置面４に吸盤５を介して、より安定的に石鹸支持装置１’を支持することができる。
【００２７】
また、上述した実施例においては、コップ２、石鹸２’を支持したが、本願発明にあっては、これに限らず、磁石Ｍに付着（吸着）する被吊下物であれば、同様に適用することができる。
かかる場合、支持装置（上述したコップ支持装置１からコップ２を除去したもの、石鹸支持装置１’から石鹸２’を除去したもの）は、載置側がのの字に形成されるのの字部３１と、こののの字部３１に接続され、載置面４に対して垂直方向に延びる垂直部３２と、この垂直部３２に接続され、垂直部３２より側方に張り出す張り出し部３３（張り出し部３３は、望ましくは、図示のようにＵターンするＵターン部形状が良い。）とを備えた支持部材３と、この支持部材３ののの字部３１に取り付けられ、載置面４に吸着する吸盤５と、支持部材３の張り出し部３３の開放端部に取り付けられ、被吊下物を付着する磁石５とを備えたものとなる。
また、のの字部３１の円弧状部３１ａは、図示したような円を描くものに限らず、角張ったのの字部（図示せず）でも良く、更に、のの字部３１を省略して、直線部３１ａを直接垂直部３２に接続する構成としても良い。かかる場合、吸盤５を取り付ける取付部は、例えば、直線部３１ａであり、また、図示しない平板状部材でも良い。
【００２８】
また、上述した実施例においては、磁石Ｍを張り出し部３３に、被吊下物（コップ２、石鹸２’）の側に磁石Ｍに付着（吸着）する磁性体（例えば、鉄板、ステンレス板等）６を設けたが、場合により、逆の構成としても良い。
即ち、図示しないが、上述した磁石Ｍを被吊下物（コップ２、石鹸２’）の側に、該磁石Ｍに付着する磁性体（例えば、鉄板、ステンレス板等）６を張り出し部３３の側にそれぞれ取り付けるようにしても良い。
【図面の簡単な説明】
【００２９】
【図１】図１は、本発明の一実施例のコップ支持装置の概略的斜視図である。
【図２】図２は、図１のコップの概略的側面図である。
【図３】図３は、図２の一部を拡大して示す概略的一部拡大断面図である。
【図４】図４は、図１の吸盤の概略的断面図である。
【図５】図５は、図１の概略的側面図である。
【図６】図６は、図５の概略的平面図である。
【図７】図７は、本発明の一実施例の石鹸支持装置の概略的斜視図である。
【図８】図８は、図７の石鹸の支持状態の概略的側面図である。
【図９】図９は、図８の一部を拡大して示す概略的一部拡大断面図である。
【図１０】図１０は、図７の概略的側面図である。
【図１１】図１１は、図１０の概略的平面図である。
【符号の説明】
【００３０】
１    コップ支持装置
２    コップ
３    支持部材
３１  のの字部
３２  垂直部
３３  張り出し部
４    載置面
５    吸盤
６    磁性体
Ｍ    磁石
【図１】
2008136578.tif 000003
【図２】
2008136578.tif 000004
【図３】
2008136578.tif 000005
【図４】
2008136578.tif 000006
【図５】
2008136578.tif 000007
【図６】
2008136578.tif 000008
【図７】
2008136578.tif 000009
【図８】
2008136578.tif 000010
【図９】
2008136578.tif 000011
【図１０】
2008136578.tif 000012
【図１１】
2008136578.tif 000013